(57)【要約】  市場売買ロトカードとカードを用いたオンラインマーケティング方法が開示されている。ロトカードを用いたオンラインマーケティング方法は、顧客が無料ギフトを提供するサイトに接続し、顧客がサイトの会員であるかどうかを識別し、ビンゴ確認板と識別番号入力箇所が記載されているポップアップウィンドウを表示し、識別番号入力箇所に識別番号を入力し、カードとビンゴ確認板とを照らし合わせることで当落状況を確認し、当落状況の結果を表示し、顧客に結果を確認するように要求し、そしてウィンドウに無料ギフトの目録を表示すると同時に、ｅメールを通してリアルタイムで顧客に目録を送信する。【解決手段】  前記市場売買ロトカードを用いたオンラインマーケティング方法は、市場売買ロトカード（１００）を得た顧客が、ギフトを提供サイトへ接続する段階（Ｓ１１０）と、顧客がプレゼントイベントを選択した後にサイトの会員であるかどうかを識別する段階（Ｓ１２０）と、会員の識別確認の終了後にビンゴ確認板（１１）及び識別番号入力箇所（１２）から成るポップアップウィンドウ（１０）を表示する段階（Ｓ１３０）と、識別番号入力箇所（１２）に顧客が得た市場売買ロトカード（１００）の識別番号を入力する段階（Ｓ１４０）と、顧客がビンゴ確認板（１１）と市場売買ロトカード（１００）とを照らし合わせた後に、当落状況を確認する段階（Ｓ１５０）と、画面上に顧客の当落状況を表示し、顧客に確認を要求する段階（Ｓ１６０）と、市場売買ロトカード（１００）の該当するギフトの目録を画面上に表示すると同時に、顧客のｅメールに送信する段階（Ｓ１７０）から構成される。
2005523756.tif 000002
【特許請求の範囲】
【請求項１】
透明フィルムから作られたモザイクパズルの形態の市場売買ロトカードであり、前記ロトカードは：
−複数の行と複数の列のマトリックス；及び
−マトリックスのスペースに印刷されている文字、数字、色、符号、景品記号の、未完成の図表またはそれらを組み合わせたものから成るものであり、
これにおいて、市場売買ロトカードの当落状況は、市場売買ロトカードと、オンラインまたはオフラインで提供されるビンゴ確認板とを照らし合わせることにより確認される。
【請求項２】
さらに、マトリックスの多数のスペースに印刷されている文字、数字、色、符号、景品記号の、未完成の図表またはそれらを組み合わせたものの表面を、完全にまたは部分的にコーティングするスクラッチフィルムから成ることを特徴とする、請求項１に記載の市場売買ロトカード。
【請求項３】
市場売買ロトカードを用いたオンラインマーケティング方法であり、前記オンラインマーケティング方法は以下のような手順から成るものである：
−オンラインまたはオフラインにて配布された市場売買ロトカードを入手した顧客がインターネットを介して無料ギフトプレゼントサイトへ接続する（Ｓ１１０）；
−前記顧客が無料ギフトプレゼントサイトの会員であるかどうかを
識別する（Ｓ１２０）；
−無料ギフトのプレゼントイベントの、ビンゴ確認板と識別番号入力箇所から成るポップアップウィンドウを表示する（Ｓ１３０）；
−識別番号入力箇所に顧客の市場売買ロトカードの識別番号を入力する（Ｓ１４０）；
−顧客の市場売買ロトカードとポップアップウィンドウに表示されているビンゴ確認板とを照らし合わせることにより、顧客の市場売買ロトカードの当落状況を確認する（Ｓ１５０）；
−手順Ｓ１５０において顧客の市場売買ロトカードがはずれであった場合、顧客が無料で景品を貰うためにもう一度ロトに参加するチャンスが欲しいかを尋ねる（Ｓ１５１）；
−無料で景品を貰うためにもう一度ロトに参加するチャンスが欲しい顧客に、指定のアンケート調査に応じるか、指定された時間の間広告を閲覧することを要求する（Ｓ１５２−Ｓ１５３）；
−アンケート調査に応じた、または広告を閲覧した顧客のためだけに、もう一度顧客の市場売買ロトカードと他のビンゴ確認板とを照らし合わせることで、顧客の市場売買ロトカードの当落状況を再び確認する（Ｓ１５４）；
−手順Ｓ１５０及びＳ１５４の後に、記憶データベース用いることにより、ウィンドウに市場売買ロトカードの当落状況の結果を表示し、そして顧客に結果を確認するように要求する（Ｓ１６０）；そして
−顧客にプレゼントされる無料ギフトの目録を表示すると同時に、ｅメールを介してリアルタイムで顧客に目録を送信する（Ｓ１７０）。
【発明の詳細な説明】
【技術分野】
【０００１】
本発明は、市場売買ロトカード及び市場売買ロトカードを用いたオンラインマーケティング方法、より詳しくは、購買心を刺激し、革新的な収益性を生み出すことによる、新たな利潤モデルを提供する市場売買ロトカード及び市場売買ロトカードを用いたオンラインマーケティング方法に関するものである。
【背景技術】
【０００２】
近年、インターネットを含むあらゆる無線通信網のユーザー数の激増に伴い、電子商取引（ＥＣ）及びサイバーキャッシュを用いた購買行為などの商業活動も増加しつつある。これらの流れに遅れをとらないよう、オンライン及び／またはオフラインの企業は、インターネットの顧客の関心を得るためにインターネットにサイトを開設することに多大な努力をし、商品の宣伝のために多様なマーケティング方法を作り出すことに心血を注いだ。
【０００３】
多様なマーケティング方法において、無料ギフトをプレゼントすることで顧客の注目を集める方法は、一般的に広く用いられている。この方法は、ロト、クイズ、くじ引き、ゲーム等の形で行われている。
【０００４】
しかしながら、従来のマーケティング方法は既に一般化されてしまっており、結果、企業の期待には沿わず、マーケティング活動によってもたらされる利益は低下する。それ故、前述の問題を克服するために、顧客の関心をより刺激する革新的な利潤モデルが求められている。
【発明の開示】
【発明が解決しようとする課題】
【０００５】
従って、本発明は前述の問題を考慮して作られたものであり、そして、市場売買ロトカードの当落状況が、新聞、雑誌そしてテレビ等のマスメディアの広告によって確認される市場売買ロトカードを提供することは本発明の目的であり、その結果、無料で景品が貰え、チャンスゲームを楽しむことのできる機会が複数回顧客に提供され、顧客の関心が刺激され、そして宣伝及び販売促進効果が最大化される。
【０００６】
本発明の他の目的は、インターネットを通じて顧客の注目を集めることのできる、前述の市場売買ロトカードを用いたオンラインマーケティング方法を提供することであり、その結果、宣伝及び販売促進効果が最大化され、革新的な収益性が生み出される。
【課題を解決するための手段】
【０００７】
本発明の一つの態様に従って上記そして他の目的は、透明フィルムから作られ、モザイクパズルの形態をした市場売買ロトカードを提供することによって成し遂げられる。市場売買ロトカードは、複数の行と複数の列のマトリックスを有しており、またマトリックスのスペースには文字、数字、色、符号、景品記号が印刷されている。これにおいて、市場売買ロトカードの当落状況は、市場売買ロトカードと、オンラインまたはオフラインで提供されるビンゴ確認板とを照らし合わせることによって確認される。
【０００８】
また、市場売買ロトカードの多数のスペースの至るところに未完成の図表が印刷されていてもよい。これにおいて、市場売買ロトカードの当落状況は、未完成の図表を備えた市場売買ロトカードと、オンラインまたはオフラインで提供されているビンゴ確認板とを照らし合わせることによって確認される。
【０００９】
好ましくは、本発明による市場売買ロトカードは、マトリックスの多数のスペースの表面を、完全にまたは部分的にコーティングするスクラッチフィルムを更に有している。これにおいて、顧客は市場売買ロトカードのフィルムを削り、その結果、顧客の市場売買ロトカードの当落状況がはじめに確認される。次に、フィルムを削り取ることによって市場売買ロトカードの当落状況をはじめに確認した後に、はじめに確認した市場売買ロトカードとポップアップウィンドウのビンゴ確認板とを照らし合わせ、その結果、顧客の市場売買ロトカードの当落状況が追加的に確認される。
【００１０】
本発明の一つの態様に従って、市場売買ロトカードを用いたオンラインマーケティング方法が提供される。オンラインマーケティング方法は、市場売買ロトカードを入手した顧客が無料ギフトプレゼントサイトに接続し、顧客がそのサイトの会員であるかを識別し、ビンゴ確認板と識別番号入力箇所が表記されたポップアップウィンドウを表示し、識別番号入力箇所に顧客の市場売買ロトカードの識別番号を入力し、顧客の市場売買ロトカードとポップアップウィンドウに表示されているビンゴ確認板とを照らし合わせることにより、顧客の市場売買ロトカードの当落状況を確認し、記憶データベースを用いることにより、ウィンドウに市場売買ロトカードの当落状況を表示、そして顧客に結果を確認するように要求し、そして顧客にプレゼントされる無料ギフトの目録を表示すると同時に、ｅメールを介してリアルタイムで顧客に目録を送信する手順から成る。
【発明を実施するための最良の形態】
【００１１】
本発明の上述及び他の目的、特徴及び利点は、添付の図面とともに以下に続く詳細な説明によって、より明確に理解されるものであり、これにおいて：
−図１は、本発明に従った市場売買ロトカードの当落状況を確認する、市場売買ロトカードとポップアップウィンドウの実施態様を示した概略図である。
−図２ａから２ｃは、それぞれ本発明に係わる市場売買ロトカードの他の実施態様を示した概略図である。
−図３は、本発明に従った市場売買ロトカードのオンラインマーケティング方法のフローチャート図である。
【００１２】
これより、本発明の好ましい実施態様は、添付の図面を参照に詳細に説明される。
【００１３】
図１は、本発明に従った市場売買ロトカードの当落状況を確認する、市場売買ロトカードとポップアップウィンドウの実施態様を示した概略図である。図２ａから２ｃは、それぞれ本発明に従った市場売買ロトカードの他の実施態様を示した概略図である。
【００１４】
図１に示されるように、本発明の市場売買ロトカード１００は、モザイクパズルの形態をしている。すなわち、市場売買ロトカード１００は、複数の行と複数の列のマトリックスを有している。一つの文字が、市場売買ロトカード１００のそれぞれのスペースにそれぞれ印刷されている。市場売買ロトカード１００の無作為に選出されたいくつかのスペースは空白である。市場売買ロトカード１００の当落状況は、オンラインまたはオフラインで提供されるビンゴ確認板１１と照らし合わせることによって確認される。
これにおいて、ビンゴ確認板１１は、インターネットを通じて提供されるポップアップウィンドウ１０にビンゴ確認板１１が表示されるが、これに限られたことではない。つまりは、ビンゴ確認板１１は新聞、雑誌そしてテレビ等の様々なマスメディアの広告によっても提供されうるということである。
【００１５】
図２ａに示されるように、未完成の図表が市場売買ロトカード１００の多数のスペースの至るところに描かれている。この場合、市場売買ロトカード１００と、あらゆるマスメディアを介して提供されたポップアップウィンドウ１０のビンコ確認板１１とを照らし合わせることによって一つの完全な図表ができあがれば、当たりであるということである。
【００１６】
さらには、図２ｂに示されるように、プレゼントされる無料ギフトの記号は、市場売買ロトカード１００の指定された多数のスペースに印刷されうる。この場合、無料ギフトの記号を与えられた顧客の市場売買ロトカード１００の当落状況と、あらゆるマスメディアを介して提供されたポップアップウィンドウ１０のビンコ確認板１１とを照らし合わせることによって確認される。
【００１７】
また、図２ｃに示されるように、文字、数字、色、符号、景品記号または、市場売買ロトカード１００に印刷されている未完成な図表の表面に、スクラッチフィルムがコーティングされうる。この場合、顧客が市場売買ロトカード１００からスクラッチフィルムを削り取り、その結果、顧客の市場売買ロトカード１００の当落状況がはじめに確認される。次に、フィルムを削り取ることによって市場売買ロトカード１００の当落状況をはじめに確認した後に、はじめに確認した市場売買ロトカード１００と、あらゆるマスメディアを介して提供されたポップアップウィンドウ１０のビンゴ確認板１１とを照らし合わせ、その結果、顧客の市場売買ロトカード１００の当落状況が追加的に確認される。
【００１８】
市場売買ロトカード１００は、文字、数字、色、符号、景品記号の組み合わせ、未完成の図表及びスクラッチフィルムが、市場売買ロトカード１００のマトリックスのスペースにおいて形成されるように、作製される。加えて、文字、数字、色、符号、景品記号の組み合わせ、未完成図表及びスクラッチフィルムに新たな要素を追加することもできる。
【００１９】
前述の本発明による市場売買ロトカード１００のサイズは、インターネットに接続されたシステム環境によってポップアップウィンドウ１０のビンゴ確認板１１と合致するように調整されることが望ましく、その結果、市場売買ロトカード１００の当落状況を容易に確認することができる。
【００２０】
以下、前述の本発明によるオンラインマーケティング方法を用いた市場売買ロトカード１００が詳細に説明される。
【００２１】
図３は、本発明に従った市場売買ロトカードを用いたオンラインマーケティング方法を描いたフローチャート図である。
【００２２】
図３に示されるように、本発明の市場売買ロトカード１００を用いたオンラインマーケティング方法は、顧客がインターネットを介して、無料ギフトプレゼントサイトに接続するあらゆる通信システムに適用することができる。無料ギフトプレゼントサイトは、記憶データベース（Ｄ／Ｂ）を通じて各種のデータを確認、記憶、そして変更するウィンドウを表示する。これにおいて、通信システムは、パーソナルコンピュータまたは携帯電話、携帯情報端末（ＰＤＡ）またはポケットＰＣのような無線移動通信機器に照会する。顧客の市場売買ロトカード１００の当落状況は、これらの通信システムによって確認することができる。
【００２３】
図１及び図２に示されるように、市場売買ロトカード１００は、オンラインまたはオフラインにて人々に配布され、そして市場売買ロトカード１００を入手した顧客がインターネットを介して無料ギフトプレゼントサイトへと接続する（Ｓ１１０）。これにおいて、市場売買ロトカード１００は、無料配布、割引商品との配布、ｅメールでの配布等の様々なルートで顧客に配布される。
【００２４】
無料ギフトプレゼントサイトに接続すると、顧客は無料ギフトのプレゼントイベントを選択する。次に無料ギフトプレゼントサイトは、顧客がサイトの会員であるかどうかを識別する（Ｓ１２０）。顧客がサイトの会員でなければ、顧客はサイトへ加入するよう勧誘される。
【００２５】
記憶データベースを用いて顧客を識別した後に、無料ギフトのプレゼントイベントのポップアップウィンドウ１０が、図１に示されるように表示される（Ｓ１３０）。ポップアップウィンドウ１０は、ビンゴ確認板１１と識別番号入力箇所１２から成る。
【００２６】
顧客は、入手した市場売買ロトカード１００の識別番号を識別番号入力箇所１２に入力する（Ｓ１４０）。これにおいて、無料ギフトプレゼントサイトは、入力された顧客の市場売買ロトカード１００の識別番号と、データベースに記憶されている該当するコンテンツとを比較し、その結果、顧客の市場売買ロトカード１００の真偽が確認される。
【００２７】
その結果、顧客は、彼／彼女の市場売買ロトカード１００と無料ギフトのプレゼントイベントのポップアップウィンドウ１０に表示されているビンゴ確認板１１とを照らし合わせ、その結果、顧客の市場売買ロトカード１００の当落状況が確認される（Ｓ１５０）。市場売買ロトカード１００の当落状況は、前述の、市場売買ロトカード１００とビンゴ確認板１１とを照らし合わせることで確認される。故に、市場売買ロトカード１００とビンゴ確認板１１とを照らし合わせる原理の詳細な説明は省略する。
【００２８】
市場売買ロトカード１００の当落状況の確認（Ｓ１５０）後、無料ギフトプレゼントサイトは、記憶データベースを用いることにより、市場売買ロトカード当落結果を表示し、そして顧客に結果を確認するように要求する（Ｓ１６０）。
【００２９】
顧客の市場売買ロトカード１００がはずれであった場合、無料ギフトプレゼントサイトは、顧客が無料で景品を貰うためにもう一度ロトに参加するチャンスが欲しいかを尋ねる（Ｓ１５１）。
【００３０】
無料で景品を貰うためにもう一度ロトに参加するチャンスが欲しい顧客は、指定のアンケート調査に応じるか、指定された時間の間広告を閲覧することを要求される（Ｓ１５２−Ｓ１５３）。
【００３１】
別のビンゴ確認板１１が、ポップアップウィンドウ１０にさらに表示され、そして、指定の調査に応じたまたは広告を閲覧した顧客に提供される。顧客は、彼／彼女の市場売買ロトカード１００と表示されたビンゴ確認板１１とを再び照らし合わせ、その結果、顧客の市場売買ロトカード１００の当落状況がもう一度確認される（Ｓ１５４）。
【００３２】
顧客の市場売買ロトカード１００の当落状況を確認した後に、無料ギフトプレゼントサイトは、ウィンドウ１０に、顧客に提供される無料ギフトの目録を表示すると同時に、ｅメールを通してリアルタイムで目録を送信する（Ｓ１７０）。このとき、無料ギフトプレゼントサイトは、無料ギフトの目録が顧客に提供されたのと同様に、宣伝内容を送信する。
【００３３】
上述の説明でみられるように、本発明は、市場売買ロトカード及び市場売買ロトカードを用いたオンラインマーケティング方法を提供するものである。本発明に従い、市場売買ロトカードの当落状況は、新聞、雑誌そしてテレビ等のマスメディアの広告によって確認され、その結果、無料で景品が貰え、チャンスゲームを楽しむことのできる機会が複数回顧客に提供され、顧客の関心が刺激され、そして宣伝及び販売促進効果が最大化される。
【００３４】
更には、本発明は市場売買ロトカードを用いたオンラインマーケティング方法によって、インターネットを通じ、顧客の注目を集め、その結果、宣伝及び販売促進効果が最大化され、革新的な収益性が生み出される。
【００３５】
本発明の推奨の実施態様が説明のために開示されたが、当業者は、付属の請求項に開示されているように、本発明の精神と範囲から逸脱することなく、多様な変更、追加、代用などが可能であることを正しく理解するものである。
【図面の簡単な説明】
【００３６】
【図１】本発明に従った市場売買ロトカードの当落状況を確認する、市場売買ロトカードとポップアップウィンドウの実施態様を示した概略図である。
【図２】２ａから２ｃは、それぞれ本発明に係わる市場売買ロトカードの他の実施態様を示した概略図である。
【図３】本発明に従った市場売買ロトカードのオンラインマーケティング方法のフローチャート図である。
【符号の説明】
【００３７】
１０  ポップアップウィンドウ
１１  ビンゴ確認版
１２  固有番号入力箇所
１００  市場売買ロトカード
【図１】
2005523756.tif 000003
【図２】
2005523756.tif 000004
2005523756.tif 000005
2005523756.tif 000006
【図３】
2005523756.tif 000007
【国際調査報告】
2005523756.tif 000008